【手続補正書】
【提出日】平成26年7月30日(2014.7.30)
【手続補正１】
【補正対象書類名】明細書
【補正対象項目名】００１３
【補正方法】変更
【補正の内容】
【００１３】
ここで用いられる用語「洗浄水」、「洗浄水源」、「洗浄液」、「洗浄水溶液」などは、洗浄用途からの汚れで汚染されていて、そして洗浄剤または種々の表面を処理する洗浄用途で使用される他の洗浄剤を含む水を循環するか、または再循環するのに用いられる、水源を表す。特定の規制された洗浄用途によれば、洗浄水は、規則正しく、捨てられるか、または洗浄用途で洗浄水として用いられる清澄な水と入れ替えられることが要求される。例えば、特定の規則は、洗浄水が、洗浄用途に十分に清澄な水源を維持するために、少なくとも４時間毎に入れ替えられることを要求している。本発明によれば、洗浄水は水の供給源によって限定されない。洗浄水源としての使用に好適な水源の例としては、都市用水からの水、私設水道システム、例えば、公共水道または井戸、あるいはいずれかの硬度イオンを含むいずれかの水源が挙げられるが、それらには限定されない。従って、洗浄水は、酵素を不活発にすることが知れられている脱イオン水だけを除くと理解される。
【手続補正２】
【補正対象書類名】明細書
【補正対象項目名】００５９
【補正方法】変更
【補正の内容】
【００５９】
本発明は上記のように説明したが、それらは様々に変更可能であることが明らかであろう。そのような変更は、本発明の精神および範囲からの逸脱とは見做されず、そして全てのそのような変更は、以下の特許請求の範囲の範囲内に含まれることが意図されている。
本発明の要旨は、以下のとおりである。
（１）（ａ）酵素組成物を水と接触させることによって使用水溶液を生成させること、該使用水溶液は、約０．１ｐｐｍ〜１００ｐｐｍの酵素の間である、および
（ｂ）該使用水溶液で、洗浄水源を清浄化すること、
を含んでなる、洗浄水源の清浄化方法。
（２）前記酵素が、アミラーゼである、（１）記載の方法。
（３）前記酵素が、プロテアーゼである、（１）記載の方法。
（４）前記酵素が、リパーゼである、（１）記載の方法。
（５）前記酵素が、アミラーゼ、プロテアーゼ、リパーゼ、セルラーゼ、クチナーゼ、gluconaseおよび／またはペルオキシダーゼ酵素の１種もしくは２種以上の組み合わせである、（１）〜（４）のいずれか１項記載の方法。
（６）前記使用水溶液が、洗浄剤組成物を更に含む、（１）〜（５）のいずれか１項記載の方法。
（７）前記洗浄剤組成物が、液体洗浄剤組成物または固体成型洗浄剤組成物である、（６）記載の方法。
（８）洗浄剤組成物を、該洗浄剤および洗浄水源と接触させた基材を洗浄するために加えることを更に含む、（１）〜（７）のいずれか１項記載の方法。
（９）前記洗浄工程が、前記洗浄剤組成物と接触させた複数の基材を洗浄すること、および
前記使用水溶液で清浄化された洗浄水源なしでの洗浄用途よりも向上した洗浄力を示すこと、を更に含む、（１）〜（８）のいずれか１項記載の方法。
（１０）前記基材が、布帛、器物、硬質表面、例えば健康管理機器、車両手入れ表面およびそれらの組み合わせからなる群から選ばれる、（１）〜（９）のいずれか１項記載の方法。
（１１）前記酵素組成物が、溶媒、染料、香料、再堆積防止剤、腐食防止剤、緩衝剤、消泡剤、抗微生物剤、保存料、キレータおよびそれらの組み合わせからなる群から選ばれた少なくとも１種の付加的な成分を更に含む、（１）〜（１０）のいずれか１項記載の方法。
（１２）前記使用水溶液が、約０．１ｐｐｍ〜約５０ｐｐｍの酵素の範囲である、（１）〜（１１）のいずれか１項記載の方法。
（１３）前記使用水溶液が、約０．１ｐｐｍ〜約２０ｐｐｍの酵素の範囲である、（１）〜（１２）のいずれか１項記載の方法。
（１４）（ａ）酵素組成物を水源と接触させることによって使用水溶液を生成すること、該使用水溶液は、約０．１ｐｐｍ〜約１００ｐｐｍの酵素を有している、ならびに
（ｂ）該使用水溶液で洗浄水源を清浄化すること、該清浄化は、該洗浄水源から汚れを除去して、該洗浄水源から生成された廃水源の品質を向上させる、
を含んでなる、汚れを除去し、かつ洗浄水源からの廃水の品質を向上させる方法。
（１５）前記汚れの除去が、前記洗浄水源中の汚れの水準の低減によって定量化される、（１４）記載の方法。
（１６）前記酵素が、アミラーゼである、（１４）または（１５）の方法。
（１７）前記酵素が、プロテアーゼである、（１４）または（１５）記載の方法。
（１８）前記酵素が、アミラーゼ、プロテアーゼ、リパーゼ、セルラーゼ、クチナーゼ、gluconaseおよび／またはペルオキシダーゼ酵素の１種もしくは２種以上の組み合わせである、（１４）または（１５）記載の方法。
（１９）前記使用水溶液が、液体洗浄剤組成物または固体洗浄剤組成物を更に含む、（１４）〜（１８）のいずれか１項記載の方法。
（２０）前記酵素組成物が、溶媒、染料、香料、再堆積防止剤、腐食防止剤、緩衝剤、消泡剤、抗微生物剤、保存料、キレータおよびそれらの組み合わせからなる群から選ばれた少なくとも１種の付加的な成分を更に含む、（１４）〜（１９）のいずれか１項記載の方法。
（２１）前記使用水溶液が、約０．１ｐｐｍ〜約５０ｐｐｍの酵素の範囲である、（１４）〜（２０）のいずれか１項記載の方法。
（２２）前記使用水溶液が、約０．１ｐｐｍ〜約２０ｐｐｍの酵素の範囲である、（１４）〜（２１）のいずれか１項記載の方法。
（２３）（ａ）酵素組成物と洗浄剤組成物を水と接触させることによって使用水溶液を生成させること、該使用水溶液は、約０．１ｐｐｍ〜１００ｐｐｍの範囲である、ならびに、
（ｂ）該使用水溶液で洗浄水源を清浄化すること、ならびに、
（ｃ）該洗浄水源の持続可能性を向上させること、
を含んでなる、洗浄水の清浄化用途の持続可能性を向上させる方法。
（２４）前記酵素が、アミラーゼ、プロテアーゼ、リパーゼ、セルラーゼ、クチナーゼ、gluconase、ペルオキシダーゼおよびそれらの組み合わせからなる群から選ばれた１種である、（２３）記載の方法。
【手続補正３】
【補正対象書類名】特許請求の範囲
【補正対象項目名】全文
【補正方法】変更
【補正の内容】
【特許請求の範囲】
【請求項１】
洗浄水の寿命を延ばすための洗浄水源の清浄化方法であって、
（ａ）酵素組成物を水と接触させることによって使用水溶液を生成させること、該使用水溶液は、約０．１ｐｐｍ〜１００ｐｐｍの酵素を含んでいる、
（ｂ）該形成された使用水溶液を、該酵素組成物から流出させること、
（ｃ）該使用水溶液を洗浄水源と接触させること、該洗浄水源は、前の洗浄用途からの汚れを含んでいる、
（ｄ）該汚れを除去して、清澄な洗浄水源を生成させるように、該使用水溶液で、該洗浄水源を清浄化すること、および
（ｅ）該清浄化された洗浄水源を、次の洗浄用途に再使用すること、
を含んでなる、洗浄水源の清浄化方法。
【請求項２】
前記酵素が、アミラーゼである、請求項１記載の方法。
【請求項３】
前記酵素が、プロテアーゼである、請求項１記載の方法。
【請求項４】
前記酵素が、リパーゼである、請求項１記載の方法。
【請求項５】
前記酵素が、アミラーゼ、プロテアーゼ、リパーゼ、セルラーゼ、クチナーゼ、グルコナーゼおよび／またはペルオキシダーゼ酵素の１種もしくは２種以上の組み合わせである、請求項１記載の方法。
【請求項６】
前記使用水溶液が、洗浄剤組成物を更に含む、請求項１記載の方法。
【請求項７】
前記洗浄剤組成物が、液体洗浄剤組成物または固体成型洗浄剤組成物である、請求項６記載の方法。
【請求項８】
洗浄剤組成物を、該洗浄剤および洗浄水源と接触させた基材を洗浄するために加えることを更に含む、請求項１記載の方法。
【請求項９】
前記洗浄工程が、前記洗浄剤と接触させた複数の基材を洗浄することを更に含む、請求項８記載の方法。
【請求項１０】
前記基材が、布帛、器物、硬質表面、例えば健康管理機器、車両手入れ表面およびそれらの組み合わせからなる群から選ばれる、請求項９記載の方法。